【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
第１の持続時間送信時間間隔（ＴＴＩ）と前記第１の持続時間ＴＴＩよりも大きい第２の持続時間ＴＴＩとをサポートするシステムにおけるモバイルデバイスでのワイヤレス通信の方法であって、
前記第２の持続時間ＴＴＩ中に同期または発見信号を受信することと、
前記第１の持続時間ＴＴＩ中に、前記第１の持続時間ＴＴＩを使用する送信のシーケンスに対応するパターンのインジケータを備える制御メッセージを受信することと、ここにおいて、送信の前記シーケンスが、データ送信および基準信号送信を備え、
前記シーケンスを受信することと、
前記インジケータに少なくとも部分的に基づいて前記パターンを識別することと、
前記パターンを使用して送信の前記シーケンスを復号することと
を備える、方法。
【請求項２】
前記パターンを識別することが、
前記インジケータに少なくとも部分的に基づいてパターンの所定のセットから前記パターンを選択すること
を備える、請求項１に記載の方法。
【請求項３】
前記同期または発見信号に少なくとも部分的に基づいてモバイルデバイスとの接続を確立することをさらに備え、ここにおいて、前記制御メッセージが前記モバイルデバイスから受信される、
請求項１に記載の方法。
【請求項４】
前記送信シーケンスが第１の持続時間ＴＴＩのセットを備え、ここにおいて、第１の持続時間ＴＴＩの前記セットの各ＴＴＩがシンボル期間を備える、請求項１に記載の方法。
【請求項５】
前記制御メッセージが、
デバイスツーデバイスリンク制御メッセージ、または
リソースブロック割当て、変調およびコーディング方式（ＭＣＳ）、タイミングアドバンス、グループ宛先識別情報（ＩＤ）、または時間リソース割振り、あるいはそれらの任意の組合せ
のいずれかを備える、請求項１に記載の方法。
【請求項６】
基地局から品質報告についての要求を受信することと、
前記要求に応答して前記基地局に前記品質報告を送信することと
をさらに備える、請求項１に記載の方法。
【請求項７】
前記第１の持続時間ＴＴＩを使用して動作するようにとの指示を前記基地局から受信することをさらに備え、ここにおいて、前記指示が前記品質報告に応答する、
請求項６に記載の方法。
【請求項８】
第１の持続時間送信時間間隔（ＴＴＩ）と前記第１の持続時間ＴＴＩよりも大きい第２の持続時間ＴＴＩとをサポートするシステムにおける第１のモバイルデバイスでのワイヤレス通信の方法であって、
前記第２の持続時間ＴＴＩ中に同期または発見信号を送信することと、
前記第１の持続時間ＴＴＩ中に、前記第１の持続時間ＴＴＩを使用する送信のシーケンスに対応するパターンのインジケータを備えるダウンリンク制御メッセージを受信することと、ここにおいて、送信の前記シーケンスが、データ送信および基準信号送信を備え、
前記インジケータに少なくとも部分的に基づいて前記パターンを識別することと、
前記第１の持続時間ＴＴＩ中に、前記インジケータを備える制御メッセージを送信することと、
前記パターンに少なくとも部分的に基づいて前記シーケンスを送信することと
を備える、方法。
【請求項９】
データおよび基準信号送信の前記シーケンスが、
第１の持続時間ＴＴＩのセット、ここにおいて、第１の持続時間ＴＴＩの前記セットの各ＴＴＩがシンボル期間を備える、または
データ再送信に対応する２つまたはそれ以上のＴＴＩ
を備える、請求項８に記載の方法。
【請求項１０】
前記同期または発見信号に少なくとも部分的に基づいて第２のモバイルデバイスとの接続を確立することをさらに備え、ここにおいて、前記制御メッセージが前記第２のモバイルデバイスに送信される、
請求項８に記載の方法。
【請求項１１】
前記シーケンスのデータシンボルが前記制御メッセージを備える、請求項１または８に記載の方法。
【請求項１２】
前記ダウンリンク制御メッセージが、リソースブロック割当て、変調およびコーディング方式（ＭＣＳ）、タイミングアドバンス、グループ宛先識別情報（ＩＤ）、または時間リソース割振り、あるいはそれらの任意の組合せを備える、請求項８に記載の方法。
【請求項１３】
基地局に、前記第１のモバイルデバイスとの接続のための所望のモバイルデバイスを示すシグナリングを送信することと、
前記シグナリングに応答して前記基地局から前記接続のための確認メッセージを受信することと、ここにおいて、前記制御メッセージが、前記所望のモバイルデバイスとの前記接続を使用して送信される、
をさらに備える、請求項１１に記載の方法。
【請求項１４】
第１の持続時間送信時間間隔（ＴＴＩ）と前記第１の持続時間ＴＴＩよりも大きい第２の持続時間ＴＴＩとをサポートするシステムにおけるモバイルデバイスでのワイヤレス通信のための装置であって、
前記第２の持続時間ＴＴＩ中に同期または発見信号を受信するための手段と、
前記第１の持続時間ＴＴＩ中に、前記第１の持続時間ＴＴＩを使用する送信のシーケンスに対応するパターンのインジケータを備える制御メッセージを受信するための手段と、ここにおいて、送信の前記シーケンスが、データ送信および基準信号送信を備え、
前記シーケンスを受信するための手段と、
前記インジケータに少なくとも部分的に基づいて前記パターンを識別するための手段と、
前記パターンを使用して送信の前記シーケンスを復号するための手段と
を備える、装置。
【請求項１５】
第１の持続時間送信時間間隔（ＴＴＩ）と前記第１の持続時間ＴＴＩよりも大きい第２の持続時間ＴＴＩとをサポートするシステムにおけるモバイルデバイスでのワイヤレス通信のための装置であって、
前記第２の持続時間ＴＴＩ中に同期または発見信号を受信するための手段と、
前記第１の持続時間ＴＴＩ中に、前記第１の持続時間ＴＴＩを使用する送信のシーケンスに対応するパターンのインジケータを備えるダウンリンク制御メッセージを受信するための手段と、ここにおいて、送信の前記シーケンスが、データ送信および基準信号送信を備え、
前記インジケータに少なくとも部分的に基づいて前記パターンを識別するための手段と、
前記第１の持続時間ＴＴＩ中に、前記インジケータを備える制御メッセージを送信するための手段と、
前記パターンに少なくとも部分的に基づいて前記シーケンスを送信するための手段と
を備える、装置。
【手続補正２】
【補正対象書類名】明細書
【補正対象項目名】０１５３
【補正方法】変更
【補正の内容】
【０１５３】
[0159]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
第１の持続時間送信時間間隔（ＴＴＩ）と前記第１の持続時間ＴＴＩよりも大きい第２の持続時間ＴＴＩとをサポートするシステムにおけるワイヤレス通信の方法であって、
前記第１の持続時間送信時間間隔（ＴＴＩ）を使用するデータおよび基準信号送信のシーケンスに対応するパターンのインジケータを備える制御メッセージを受信することと、
前記インジケータに少なくとも部分的に基づいて前記パターンを識別することと、
前記パターンを使用してデータおよび基準信号送信の前記シーケンスを復号することとを備える、方法。
［Ｃ２］
前記パターンを識別することが、
前記インジケータに少なくとも部分的に基づいてパターンの所定のセットから前記パターンを選択すること
を備える、Ｃ１に記載の方法。
［Ｃ３］
前記第２の持続時間ＴＴＩ中に同期または発見信号を受信することをさらに備え、ここにおいて、前記制御メッセージが前記第１の持続時間ＴＴＩ中に受信される、
Ｃ１に記載の方法。
［Ｃ４］
前記同期または発見信号に少なくとも部分的に基づいてモバイルデバイスとの接続を確立することをさらに備え、ここにおいて、前記制御メッセージが前記モバイルデバイスから受信される、
Ｃ３に記載の方法。
［Ｃ５］
データおよび基準信号送信の前記シーケンスが第１の持続時間ＴＴＩのセットを備え、ここにおいて、第１の持続時間ＴＴＩの前記セットの各ＴＴＩがシンボル期間を備える、Ｃ１に記載の方法。
［Ｃ６］
データおよび基準信号送信の前記シーケンスのデータシンボルが前記制御メッセージを備える、Ｃ１に記載の方法。
［Ｃ７］
前記制御メッセージがサイドリンク制御メッセージを備える、Ｃ１に記載の方法。
［Ｃ８］
前記制御メッセージが、リソースブロック割当て、変調およびコーディング方式（ＭＣＳ）、タイミングアドバンス、グループ宛先識別情報（ＩＤ）、または時間リソース割振り、あるいはそれらの任意の組合せを備える、Ｃ１に記載の方法。
［Ｃ９］
基地局から品質報告についての要求を受信することと、
前記要求に応答して前記基地局に前記品質報告を送信することと
をさらに備える、Ｃ１に記載の方法。
［Ｃ１０］
前記第１の持続時間ＴＴＩを使用して動作するようにとの指示を前記基地局から受信することをさらに備え、ここにおいて、前記指示が前記品質報告に応答する、
Ｃ９に記載の方法。
［Ｃ１１］
第１の持続時間送信時間間隔（ＴＴＩ）と前記第１の持続時間ＴＴＩよりも大きい第２の持続時間ＴＴＩとをサポートするシステムにおけるワイヤレス通信の方法であって、
前記第１の持続時間ＴＴＩを使用するデータおよび基準信号送信のシーケンスに対応するパターンのインジケータを備えるダウンリンク制御メッセージを受信することと、
前記インジケータに少なくとも部分的に基づいて前記パターンを識別することと、
前記パターンに少なくとも部分的に基づいてデータおよび基準信号の前記シーケンスを送信することと
を備える、方法。
［Ｃ１２］
前記パターンを識別することが、
前記インジケータに少なくとも部分的に基づいてパターンの所定のセットから前記パターンを選択すること
を備える、Ｃ１１に記載の方法。
［Ｃ１３］
データおよび基準信号送信の前記シーケンスが第１の持続時間ＴＴＩのセットを備え、ここにおいて、第１の持続時間ＴＴＩの前記セットの各ＴＴＩがシンボル期間を備える、Ｃ１１に記載の方法。
［Ｃ１４］
データおよび基準信号送信の前記シーケンスが、データ再送信に対応する２つまたはそれ以上のＴＴＩを備える、Ｃ１１に記載の方法。
［Ｃ１５］
前記インジケータを備える制御メッセージを送信すること
をさらに備える、Ｃ１１に記載の方法。
［Ｃ１６］
前記制御メッセージがサイドリンク制御メッセージを備える、Ｃ１５に記載の方法。
［Ｃ１７］
前記第２の持続時間ＴＴＩ中に同期または発見信号を送信することをさらに備え、ここにおいて、前記制御メッセージが前記第１の持続時間ＴＴＩ中に送信される、
Ｃ１５に記載の方法。
［Ｃ１８］
前記同期または発見信号に少なくとも部分的に基づいてモバイルデバイスとの接続を確立することをさらに備え、ここにおいて、前記制御メッセージが前記モバイルデバイスに送信される、
Ｃ１７に記載の方法。
［Ｃ１９］
データおよび基準信号送信の前記シーケンスのデータシンボルが前記制御メッセージを備える、Ｃ１５に記載の方法。
［Ｃ２０］
前記ダウンリンク制御メッセージが、リソースブロック割当て、変調およびコーディング方式（ＭＣＳ）、タイミングアドバンス、グループ宛先識別情報（ＩＤ）、または時間リソース割振り、あるいはそれらの任意の組合せを備える、Ｃ１５に記載の方法。
［Ｃ２１］
基地局に、接続のための所望のモバイルデバイスを示すシグナリングを送信することと、
前記シグナリングに応答して前記基地局から前記接続のための確認メッセージを受信することと、ここにおいて、前記制御メッセージが、前記所望のモバイルデバイスとの前記接続を使用して送信される、
をさらに備える、Ｃ１５に記載の方法。
［Ｃ２２］
前記確認メッセージは、前記所望のモバイルデバイスがしきい値を上回るリンク品質を有することに少なくとも部分的に基づく、Ｃ２１に記載の方法。
［Ｃ２３］
前記確認メッセージが、前記所望のモバイルデバイスに関連する推定された信号強度を備える、Ｃ２２に記載の方法。
［Ｃ２４］
第１の持続時間送信時間間隔（ＴＴＩ）と前記第１の持続時間ＴＴＩよりも大きい第２の持続時間ＴＴＩとをサポートするシステムにおけるワイヤレス通信のための装置であって、
前記第１の持続時間送信時間間隔（ＴＴＩ）を使用するデータおよび基準信号送信のシーケンスに対応するパターンのインジケータを備える制御メッセージを受信するための手段と、
前記インジケータに少なくとも部分的に基づいて前記パターンを識別するための手段と、
前記パターンを使用してデータおよび基準信号送信の前記シーケンスを復号するための手段と
を備える、装置。
［Ｃ２５］
前記インジケータに少なくとも部分的に基づいてパターンの所定のセットから前記パターンを選択するための手段
をさらに備える、Ｃ２４に記載の装置。
［Ｃ２６］
前記第２の持続時間ＴＴＩ中に同期または発見信号を受信するための手段をさらに備え、ここにおいて、前記制御メッセージを受信するための前記手段が、前記第１の持続時間ＴＴＩ中に受信するように動作可能である、
Ｃ２４に記載の装置。
［Ｃ２７］
第１の持続時間送信時間間隔（ＴＴＩ）と前記第１の持続時間ＴＴＩよりも大きい第２の持続時間ＴＴＩとをサポートするシステムにおけるワイヤレス通信のための装置であって、
前記第１の持続時間ＴＴＩを使用するデータおよび基準信号送信のシーケンスに対応するパターンのインジケータを備えるダウンリンク制御メッセージを受信するための手段と、
前記インジケータに少なくとも部分的に基づいて前記パターンを識別するための手段と、
前記パターンに少なくとも部分的に基づいてデータおよび基準信号の前記シーケンスを送信するための手段と
を備える、装置。
［Ｃ２８］
前記インジケータに少なくとも部分的に基づいてパターンの所定のセットから前記パターンを選択するための手段
をさらに備える、Ｃ２７に記載の装置。
［Ｃ２９］
前記インジケータを備える制御メッセージを送信するための手段
をさらに備える、Ｃ２７に記載の装置。
［Ｃ３０］
前記第２の持続時間ＴＴＩ中に同期または発見信号を送信するための手段をさらに備え、ここにおいて、前記制御メッセージを送信するための前記手段が、前記第１の持続時間ＴＴＩ中に送信するように動作可能である、
Ｃ２９に記載の装置。